【手続補正書】
【提出日】平成17年5月20日(2005.5.20)
【手続補正１】
【補正対象書類名】明細書
【補正対象項目名】全文
【補正方法】変更
【補正の内容】
【書類名】明細書
【発明の名称】希ガス放電ランプ、バックライト装置および液晶表示装置
【特許請求の範囲】
【請求項１】細長い透光性放電容器と；
透光性放電容器に封入されたキセノンを含む希ガスを主成分とする放電媒体と；
透光性放電容器の内面側に配設された蛍光体層と；
透光性放電容器の長手方向に沿って離間対向して配設された一対の外部電極と；
一対の外部電極の間において透光性放電容器に形成された導光用透孔部と；
透光性放電容器の内面側に配設されたゲッタと；
を具備していることを特徴とする希ガス放電ランプ。
【請求項２】請求項１記載の希ガス放電ランプと；
希ガス放電ランプの導光用透光部の幅とほぼ等しい幅の端面を備えるとともに、端面を導光用透孔部に正対させて配設された導光体と；
希ガス放電ランプに高周波を印加して調光可能に点灯する高周波点灯装置と；
を具備していることを特徴とするバックライト装置。
【請求項３】請求項１記載の希ガス放電ランプと；
希ガス放電ランプの導光用透孔部に端面を対向させて配設された導光体と；
導光体の正面に配設された液晶表示体と；
を具備していることを特徴とする液晶表示装置。
【発明の詳細な説明】
【０００１】
【発明の属する技術分野】
本発明は、希ガス放電を行う希ガス放電ランプ、バックライト装置および液晶表示装置に関する。
【０００２】
【従来の技術】
液晶表示体などのバックライト装置に用いられている放電ランプは、細長いガラスバルブの内面に蛍光体層を形成するとともに、ガラスバルブの両端に一対の内部電極を封装し、さらにガラスバルブの内部に水銀および希ガスを封入した構造が一般的に用いられている。この放電ランプは、低圧水銀蒸気放電によって放射する２５４ｎｍの紫外線で蛍光体を励起して可視光を発生させるものである。
【０００３】
ところが、水銀を用いる放電ランプは、所望の光量を得ることができるが、低温時の光束立ち上がり特性が悪いので、低温時にも使用され得るたとえば車載計器用バックライト装置などでは、ヒータを放電ランプに添装したり、保温手段を用いたりする必要があるため、装置が大形化するとともに、コストアップになるという問題がある。また、環境負荷が大きい水銀を用いることにも問題がある。
【０００４】
そこで、希ガス放電を用いる放電ランプがクローズアップされてきた。この放電ランプは、発光放電媒体としてキセノンが用いられていて、放電によってキセノンが放射する紫外線がガラスバルブ内面に形成された蛍光体層に照射されて励起された蛍光体から可視光を発生させるものである。
【０００５】
【発明が解決しようとする課題】
しかしながら、希ガスを用いる放電ランプは、光量が少ないという問題がある。たとえば、内径２ｍｍのガラスバルブにキセノンを封入し、両端に一対の内部電極を封装した放電ランプを正弦波電圧で点灯すると、白色（色度ｘ：０．３２０、ｙ：０．３８０）での管面輝度は約５０００ｃｄ／ｍ2であり、パルス点灯にしても管面輝度は８０００ｃｄ／ｍ2が限界であった。このため、車載計器用などのバックライト装置としては所要の輝度が得られない。
【０００６】
一方、読取用の放電ランプにおいては、内部にキセノンを封入したガラスバルブの外面の長手方向に沿って一対の外部電極を平行に離間させて配設したものが知られており、この放電ランプの一対の外部電極間にパルス電圧を印加することにより、２００００〜４００００ｃｄ／ｍ2の管面輝度が得られる。
【０００７】
ところが、外部電極を具備する希ガス放電ランプにおいては、ゲッタ作用をするものがないため、残留不純物によって放電が安定しないで、点灯時に明るさのちらつきを生じる。
【０００８】
本発明は、残留不純物によって放電が不安定にならないようにした、特に調光時における明るさのちらつきを減少した希ガス放電ランプ、バックライト装置および液晶表示装置を提供することを目的とする。
【０００９】
【課題を達成するための手段】
請求項１の発明の希ガス放電ランプは、細長い透光性放電容器と；透光性放電容器に封入されたキセノンを含む希ガスを主成分とする放電媒体と；透光性放電容器の内面側に配設された蛍光体層と；透光性放電容器の長手方向に沿って離間対向して配設された一対の外部電極と；一対の外部電極の間において透光性放電容器に形成された導光用透孔部と；透光性放電容器の内面側に配設されたゲッタと；を具備していることを特徴としている。
【００１０】
本発明および以下の各発明において、特に指定しない限り用語の定義および技術的意味は次による。
【００１１】
〔透光性放電容器について〕
透光性放電容器は、ソーダライムガラス、鉛ガラスなどの軟質ガラスでよいが、要すればホウ珪酸ガラスなどの硬質ガラス、半硬質ガラス、石英ガラスでもよく、さらにはガラス以外の材料でもたとえば透光性セラミックスでもよく、要するに透光性および気密性と、希ガス放電ランプの作動温度における耐火性および加工性とを満足する材料であれば許容される。
【００１２】
また、透光性放電容器は、長手方向と直交する断面の形状は自由である。一般的には断面形状が円形のものが用いられるが、要すれば楕円形または四角形などを採用することができる。
【００１３】
さらに、透光性放電容器の内径は、１０ｍｍ以下のものが好適であるが、一般的には特段制限されない。
【００１４】
さらにまた、透光性放電容器が細長いとは、放電容器の径の２倍以上であることを意味するが、バックライト装置の要求する任意の長さに設定することが可能である。
【００１５】
〔放電媒体について〕
放電媒体は、キセノンを含む希ガスを主成分とするものであり、キセノンはその低圧放電により発生した波長１７４ｎｍの紫外線で蛍光体を励起して可視光を発生させるために機能する。必要に応じて、希ガスとしてキセノンに加えてクリプトン、ネオン、アルゴンなどを混合して封入することにより、ペニング効果により放電開始電圧を低減させたり、クリプトンの場合には調光時の明るさのちらつきを抑制することができる。
【００１６】
また、希ガスの封入圧は、特に制限されないが、１３３Ｐａ〜２６．６ｋＰａが好適である。
【００１７】
〔蛍光体層について〕
蛍光体層は、上記したようにキセノンの低圧放電によって発生する紫外線を可視光に変換するために機能するもので、透光性放電容器の内面に直接または間接的に配設される。
【００１８】
間接的とは、たとえば透光性放電容器の内面にチタニアなどの可視光反射率の高い金属酸化物粒子を主成分とする反射膜およびまたはアルミナ微粒子を主成分とする金属酸化物層の保護層を形成し、その内面側に蛍光体層を配設することを含む。
【００１９】
蛍光体としては、３波長発光形蛍光体、ハロ燐酸カルシウム蛍光体などの白色を発光する蛍光体または特定光色を発光する蛍光体を自由に選択することができる。
【００２０】
さらに、蛍光体層には蛍光体の他に結着材や易電子放射性粒子など非蛍光体物質を混合させることができる。
【００２１】
さらにまた、透光性放電容器内の蛍光体層を配設する位置について説明する。すなわち、蛍光体層は、透光性放電容器の少なくとも放電空間をとりまく領域の全内周面に配設するか、導光用透光部を除いてその他の部分に配設するのが一般的である。後者をアパーチャ形という。
【００２２】
さらにまた、導光透光部を除いて透光性気密容器の内面に金属酸化物微粒子からなる反射膜を形成し、蛍光体層を導光用透光部の部分を含めて全周にわたって形成したものを反射形という。本発明は、アパーチャ形および反射形のいずれの構成であってもよい。
【００２３】
〔外部電極について〕
外部電極は、その一対が透光性放電容器の長手方向に沿ってなるべく互いに平行に離間対向して透光性放電容器の外面に配設される。したがって、透光性放電容器の周囲には外部電極の配設されていない一対の空白部が形成される。この空白部は一対の外部電極間の絶縁を確保するのに機能するとともに、少なくとも一方は後述する導光用透光部として用いられる。
【００２４】
また、外部電極は、アルミニウムなどの導電性金属の薄板を透光性放電容器の外面に接着剤によって貼着してもよいし、導電性ペーストを塗布、乾燥および焼成して形成してもよい。
【００２５】
〔導光用透光部について〕
導光用透光部は、透光性放電容器の周囲に形成される一対の空白部の少なくとも一方に形成される。導光用透光部の両側辺が一対の外部電極の側辺によって画成されていることが好ましいが、要すれば外部電極の側辺より空白部の中央部側に位置していることが許容される。
【００２６】
〔ゲッタについて〕
ゲッタは、透光性放電容器の内面側に配設されている。ゲッタとしては、Ｂａ、Ｍｇ、Ｃａ、Ｔｉ、Ｔａ、Ｚｒ、ＡｌおよびＶのグループの一種または複数種あるいはこれらの化合物またはこれらの酸化物を用いることができる。
【００２７】
また、ゲッタの支持手段としては、透光性放電容器の内面側すなわち透光性放電容器の内面または蛍光体層の表面に塗布することである。
【００２８】
そうして、ゲッタは、イニシャルゲッタ、パーフォーマンスゲッタのいずれでもよい。イニシャルゲッタの場合には、当該ゲッタを透光性気密容器内に封入した後に外部から高周波電磁界を作用させてゲッタを加熱することにより、不純物を吸着させることができる。
【００２９】
〔本発明の作用について〕
以上の構成を備えた本発明の希ガス放電ランプは、透光性放電容器の内面側に配設されたゲッタを具備している点が特徴であり、透光性放電容器内の不純物がゲッタに吸着されるので、放電が安定し、特に調光時の明るさのちらつきが減少する。
【００３０】
〔その他の構成について〕
本発明において、所望により以下の構成の一または任意の複数を選択して付加することができる。
【００３１】
１．（透明質絶縁被覆について）
透明質絶縁被覆は、透光性放電容器および一対の外部電極に密着して包囲して配設されている。したがって、透光性放電容器に密着するのは、導光用透光部および空白部である。このため、導光用透光部から導出された可視光は、透明質絶縁被覆を透過して希ガス放電ランプの外部に取り出される。
【００３２】
また、透明質絶縁被覆は、外部電極を配設した透光性放電容器を透明質シリコーンにディップし、固化させて形成することができる。もちろん、外部電極への給電のためのリード線の接続は前もって行っておくことが望ましい。
【００３３】
２．（透明質熱収縮チューブについて）
透明質熱収縮チューブは、透明フッ素樹脂などの比較的耐熱性に優れた素材の熱収縮チューブで、透明質絶縁チューブを包囲している。
【００３４】
３．（希ガスの構成について）
希ガスをキセノンおよびクリプトンとする。
【００３５】
キセノンにクリプトンを混合することにより、光量の減少を抑制しながら調光時の明るさのちらつきを低減して調光特性を良好にすることができる。
【００３６】
したがって、希ガスを上記のように構成すれば、昼間と夜間とで光量を大幅に変化可能であることを要求される車載計器用のバックライト装置に好適である。
【００３７】
上記構成の場合、希ガス放電ランプを調光するには、１０ｋＨｚ以上の高周波を繰り返し周波数１００Ｈｚ〜３ｋＨｚの矩形波で変調し、さらに調光レベルをＰＷＭ変調によりデューティの変化に変えることによって、調光下限値が２〜５％程度まで良好に行うことができる。そして、この場合のクリプトンの混合比は、分圧比で３０〜６０％程度が好適であり、最適には約５０％である。
【００３８】
４．（反射膜および蛍光体層について）
透光性放電容器の内面側に形成されたαアルミナを含む反射膜と；反射膜の内面側に形成したγアルミナを主成分とする保護膜と；αアルミナを含み保護膜の内面側において少なくとも反射膜の内面部分に形成された蛍光体層と；を具備している。
【００３９】
上記構成においては反射膜および蛍光体層にαアルミナが含まれているため、電子放射を容易にして暗黒特性を良好にすることができる。なお、反射膜の主成分としては、たとえば可視光反射率の高いチタニアを用いることができる。
【００４０】
また、γアルミナを主成分とする保護膜を形成したことにより、調光時に陽光柱が部分的に収縮して明るさのちらつきを生じるのを抑制することができる。その理由は詳かでないが、γアルミナは接触帯電量が正であるので、陽光柱が外部電極に引き寄せられて透光正放電容器の内面に接近した際に、キセノンイオンが透光性放電容器の表面に侵入して消失するのを阻止できることと関係があるように思われる。
【００４１】
なお、保護膜は、導光用透孔部の部分をも含めて全周に形成してもよいし、導光用透孔部の部分には形成しないか、わずかに形成してあってもよい。
【００４２】
５．（外部電極について）
希ガス放電ランプの外部電極は、透光性放電容器の外面に貼着された導電性金属箔、導電性金属箔の外表面に貼着された合成樹脂シート、導電性金属箔および合成樹脂シートを貫通して加締められた鳩目金具、ならびに鳩目金具を介して導出された一対のリード線を備えている。
【００４３】
上記構成は、希ガス放電ランプに対するリード線たとえばワイヤハーネスの接続が容易で安全な構成を提供するものである。
【００４４】
すなわち、鳩目金具を用いることにより、環境負荷の大きな鉛を使用しないで確実な電気接続を得ることができる。
【００４５】
また、鳩目金具を機械的に確実かつ耐久性を持たせて外部電極に接続するために、外部電極の外表面に合成樹脂シートを貼着し、鳩目金具を外部電極および合成樹脂シートを貫通して加締めている。
【００４６】
さらに、金属箔を合成樹脂シートで裏打ちすることにより、金属箔の取扱いが容易になる。
【００４７】
請求項２の発明のバックライト装置は、請求項１記載の希ガス放電ランプと；希ガス放電ランプの導光用透光部の幅とほぼ等しい幅の端面を備えるとともに、端面を導光用透孔部に正対させて配設された導光体と；希ガス放電ランプに高周波を印加して調光可能に点灯する高周波点灯装置と；を具備していることを特徴としている。
【００４８】
本発明は、希ガス放電ランプの一対の外部電極の間に形成された導光用透孔部の幅と導光体の端面の幅とをほぼ等しくすることにより、希ガス放電ランプの導光用透孔部から出射する可視光を効率よく導光体の端面から内部へ入射させることができる。
【００４９】
導光用透孔部の幅とほぼ等しい端面の幅とは、両者の幅が相互に±１０％程度ずれている場合を含むものとする。
【００５０】
希ガス放電ランプを反射板によって包囲し、さらに反射板の両側端を導光板または導光板および導光板の前面に添設した液晶などの表示体の端面部を挟持することにより、希ガス放電ランプおよび導光板またはさらに表示体を一体化するとともに、導光体への導光を一層効率的に行わせることができる。
【００５１】
高周波点灯装置は、高周波電圧を発生して希ガス放電ランプに印加して安定に点灯させる点灯手段を備えるとともに、希ガス放電ランプを調光点灯させる調光手段を備えている。
【００５２】
本発明において、高周波とは１０ｋＨｚ以上の周波数をいい、好適には２５〜２００ｋＨｚである。
【００５３】
点灯手段は、希ガス放電ランプを安定に点灯するために、インダクタンス、キャパシタンスなどのインピーダンスからなる限流手段を含んでいる。
【００５４】
また、点灯手段においては、調光を容易にするために、高周波を適当な繰り返し周波数（以下、調光周波数という。）の矩形波で変調した上で希ガス放電ランプに印加させることができる。
【００５５】
調光手段は、希ガス放電ランプに点灯手段から供給する高周波エネルギーを全光点灯時より少なく制御することにより、調光するものであり、たとえば上記のような構成の場合に、調光周波数の矩形波のデューティを変化させることにより、調光することが可能である。この場合、調光周波数としては１００Ｈｚ〜３ｋＨｚが好適である。調光周波数が比較的低いと、調光限界を小さくできる。たとえば、調光周波数が２００Ｈｚの場合、調光率は２％まで可能になる。調光周波数を高く設定すると、明るさのちらつきが少なくなるが、調光限界は５％までとなる。
【００５６】
本発明は、以上の説明から理解できるように、希ガス放電ランプを調光することが可能になるために、車載計器用のバックライト装置に好適であるが、これに限定されるものではなく、種々のバックライト装置に適応する。
【００５７】
請求項３の発明の液晶表示装置は、請求項１記載の希ガス放電ランプと；希ガス放電ランプの導光用透孔部に端面を対向させて配設された導光体と；導光体の正面に配設された液晶表示体と；を具備していることを特徴としている。
【００５８】
本発明は、以上の構成から理解できるように、希ガス放電ランプがバックライト装置への実装性に優れるとともに、調光が可能のように構成することがきるために、車載計器用の液晶表示装置に好適であるが、これに限定されるものではなく、種々の液晶表示装置に適応する。
【００５９】
【発明の実施の形態】
以下、本発明の実施の形態を図面を参照して説明する。
【００６０】
図１は、本発明の希ガス放電ランプの第１の実施形態を示す断面図である。
【００６１】
図において、１は透光性放電容器、２は蛍光体層、３、３は一対の外部電極、４は導光用透光部、５は透明質絶縁被覆、６は透明質熱収縮チューブである。
【００６２】
透光性放電容器１は、両端を封止した内径７ｍｍの透明軟質ガラスバルブからなり、内部に希ガスとしてキセノンを約８０００Ｐａ封入している。
【００６３】
また、希ガスとしてキセノンおよびクリプトンを分圧比でそれぞれ５０％封入した場合、調光時の明るさのちらつきが著しく減少した。
【００６４】
蛍光体層２は、３波長発光形蛍光体を透光性放電容器１の内面の全周にわたり被着させて形成されている。
【００６５】
また、蛍光体層２を蛍光体にαアルミナを混合して構成することにより、希ガス放電ランプの暗黒特性を改善することができる。
【００６６】
一対の外部電極３、３は、幅８ｍｍのアルミニウム箔を透光性放電容器１の長手方向に沿って平行に離間対向して貼着されている。
【００６７】
導光用透光部４は、一対の外部電極３、３の間に形成される一対の空白部の少なくとも一方に形成される。本実施形態においては、透光性放電容器１の軸心に対して８０゜の開口角になるように形成されている。
【００６８】
透明質絶縁被覆５は、透明なシリコーン樹脂からなり、透光性放電容器１に外部電極３、３を配設した後にディッピングにより形成している。
【００６９】
なお、外部電極３には高周波電気エネルギーの供給を受けるリード線を備えているものとする。このリード線には、車載計器用バックライト装置に用いられる場合には、ワイヤハーネスが用いられる。
【００７０】
透明質熱収縮チューブ６は、透明なフッ素樹脂の熱収縮チューブからなり、透明質絶縁被覆５の上に配設されている。この透明質熱収縮チューブ６は、外部電極３のリード線の結線部を保護してバックライト装置への実装を容易にする。
【００７１】
図２は、本発明の希ガス放電ランプの第２の実施形態を示す断面図である。
【００７２】
図において、図１と同一部分については同一符号を付して説明は省略する。
【００７３】
本実施形態は、蛍光体層２の導光用透光部４に対向する部分に開口部を形成してアパーチャ形にした点で異なる。
【００７４】
図３は、本発明の希ガス放電ランプの第３の実施形態を示す断面図である。
【００７５】
図において、図１と同一部分については同一符号を付して説明は省略する。
【００７６】
本実施形態は、チタニアを主成分とする反射膜７を透光性放電容器１の内面に形成し、反射膜７の上に蛍光体層２を形成している点で異なる。
【００７７】
反射膜にαアルミナを混合すると、希ガス放電ランプの暗黒特性を改善することができる。そして、前述したαアルミナを混合した蛍光体層と、αアルミナを混合した反射膜とを併用した場合には、希ガス放電ランプの暗黒特性はさらに優れた改善効果を得ることができた。
【００７８】
図４は、本発明の希ガス放電ランプの第４の実施形態を示す断面図である。
【００７９】
図において、図３と同一部分については同一符号を付して説明は省略する。
【００８０】
本実施形態は、反射膜７の内面にγアルミナを主成分とする保護膜８を形成し、保護膜８の内面側に蛍光体層２を形成している点で異なる。
【００８１】
透光性放電容器１の内面に反射膜７を形成した後、保護膜８および蛍光体層２を順次塗布し、仮焼成してから導光用透光部４の部分の保護膜および蛍光体層を除去し、次に本焼成することにより、保護膜８および蛍光体層２が形成される。
【００８２】
なお、γアルミナを主成分とする保護膜８は、すこぶる透明性が高いので、導光用透光部４の部分における透光性放電容器１の内面には保護膜８がそのまま残留している構成であってもよく、薄く残留している構成であってもよい。
【００８３】
次に、透光性放電容器１内を排気し、希ガスを封入してチップオフする。
【００８４】
さらに、外部電極３、３を貼着し、外部電極３をワイヤハーネス（図示しない。）を接続し、透明質絶縁被覆５および透明質熱収縮チューブ６を順次配設して希ガス放電ランプが完成する。
【００８５】
透明質絶縁被覆５は、透光性放電容器１を透明シリコーン中にディップし、引き上げ固化させて形成した。
【００８６】
また、透明質熱収縮チューブ６には透明フッ素樹脂からなるものの中に透明質絶縁被覆５を形成した透光性放電容器１を挿通し、熱風によって収縮させた。
【００８７】
そうして、γアルミナを主成分とする保護膜８を具備していることにより、調光時に陽光柱が部分的に収縮して明るさのちらつきを生じるのを抑制することができる。
【００８８】
図５は、本発明の希ガス放電ランプの第５の実施形態における外部電極の透光性放電容器への貼着前の状態を示す展開図である。
【００８９】
図６は、同じく要部拡大断面図である。
【００９０】
本実施形態において、外部電極３は、導電性金属箔３ａ、合成樹脂シート３ｂ、鳩目金具３ｃ、粘着剤層３ｄ、３ｅおよび接続金具３ｆから構成されている。
【００９１】
導電性金属箔３ａは、アルミニウム箔からなる。なお、１は透光性放電容器である。
【００９２】
合成樹脂シート３ｂは、粘着剤層３ｄを介して導電性金属箔３ａに接着してこれを裏打ちしている。そして、１枚の合成樹脂シート３ｂに一対の導電性金属箔３ａ、３ａを予め所定の間隔をおいて接着し、さらに導光用透光部に当接する合成樹脂の部分を切除して窓孔３ｂ１を形成しておく。
【００９３】
鳩目金具３ｃは、筒状脚部３ｃ１の一端に鍔部３ｃ２を備えている。そして、鳩目金具３ｃは、その鍔部３ｃ２を導電性金属箔３ａに当接した状態で筒状脚部３ｃ１が導電性金属箔３ａおよび合成樹脂シート３ｂを貫通し、さらに合成樹脂シート３ｂ側において接続金具３ｆを挿通した上で、筒状脚部３ｃ１の他端を加締めることにより、導電性金属箔３ａを接続金具３ｆに接続している。
【００９４】
接続金具３ｆは、細長い板状をなし、一端に鳩目金具３ｃの筒状脚部３ｃ１を挿通する通孔３ｆ１を備え、他端にリード線（図示しない。）を圧着する圧着部３ｆ２を備えている。
【００９５】
そうして、図５に示す状態で一対の外部電極３、３を用意したら、次に透光性放電容器１の導光用透光部４に合成樹脂シート３ｂの窓孔３ｂ１を合致させて粘着剤３ｅによって接着すると、外部電極３、３の貼着が完成する。
【００９６】
次に、接続金具３ｆを用いてワイヤハーネス（図示しない。）を加締めることによって、ワイヤハーネスを外部電極３にはんだレスで接続することができる。
【００９７】
図７は、本発明の希ガス放電ランプの第６の実施形態を示す一部断面正面図である。
【００９８】
図において、図１と同一部分については同一符号を付して説明は省略する。
【００９９】
本実施形態は、透光性放電容器１内にゲッタ９を配設した点で異なる。
【０１００】
すなわち、透光性放電容器１の一端に形成したチップオフ部１ａに、先端にゲッタ９を支持した線材１０の基端部を封着している。
【０１０１】
なお、図中蛍光体層などの透光性放電容器１内に形成する構成部分および透明質絶縁被覆および透明質熱絶縁チューブについては図示を省略している。
【０１０２】
図８は、本発明の希ガス放電ランプの第７の実施形態を示す断面図である。
【０１０３】
図において、図７と同一部分については同一符号を付して説明は省略する。
【０１０４】
本実施形態は、透光性放電容器１内面側にゲッタ９を塗布した点で異なる。
【０１０５】
すなわち、ゲッタ９を微粒子状にして分散液を調整して、透光性放電容器１の一端部近傍において、蛍光体層２の上に塗布し、乾燥させたものである。
【０１０６】
図９は、本発明のバックライト装置の一実施形態における希ガス放電ランプ点灯装置の部分を示す回路ブロック図である。
【０１０７】
図において、図４と同一部分については同一符号を付して説明は省略する。
【０１０８】
希ガス放電ランプ点灯装置は、希ガス放電ランプＤＬ、高周波点灯回路１１、直流電源１２、調光制御回路１３およびワイヤハーネス１４から構成されている。
【０１０９】
高周波点灯回路１１は、直流電源１２から供給される直流を正弦波の高周波に変換するとともに、希ガス放電ランプＤＬを安定に点灯させるための限流手段を含んでいる。
【０１１０】
また、高周波点灯回路１１は、調光のために内部に発生した高周波を調光周波数が１００Ｈｚ〜３ｋＨｚの矩形波で変調して希ガス放電ランプＤＬに印加するように構成されている。
【０１１１】
直流電源１２は、バッテリーまたは交流を整流・平滑したもののいずれでもよい。
【０１１２】
調光制御回路１３は、所望の調光度に応じて上記矩形波のデューティを変化させるように構成されている。
【０１１３】
そうして、希ガス放電ランプＤＬを全光点灯すると、２００００〜４００００ｃｄ／ｍ2の管面輝度を得ることができる。
【０１１４】
また、希ガス放電ランプに印加される電圧が正弦波であるから、放射ノイズも極めて少なくなる。
【０１１５】
ワイヤハーネス１４は、一対の絶縁被覆電線１４ａおよびコネクタ１４ｂからなる。
【０１１６】
一対の絶縁被覆電線１４ａは、希ガス放電ランプＤＬの外部電極３のリード線として機能する。
【０１１７】
コネクタ１４ｂは、絶縁被覆電線１４ａの受電側の端部に配設され、高周波点灯回路１１の接栓に着脱自在に接続する。
【０１１８】
図１０は、本発明の液晶表示装置の一実施形態における導光体と希ガス放電ランプとの位置関係を示す断面図である。
【０１１９】
導光体１５は、透明アクリル樹脂の板からなる。
【０１２０】
希ガス放電ランプＤＬは、導光用透光部４の幅が導光体１５の端面の幅と同一に形成されており、かつ導光体１５の端面に正対するとともに接近させている。
【０１２１】
導光体１４の前面には液晶表示板１６を配設している。
【０１２２】
図示を省略しているが、導光体１５と希ガス放電ランプＤＬとは、希ガス放電ランプＤＬを包囲する反射板の両側縁で導光体１５の端面部を支持することで所定の位置関係に保持されるように構成される。
【０１２３】
本実施形態の液晶表示装置は、希ガス放電ランプが既述のように環境負荷の大きな水銀を用いることなく、さらに要すればワイヤハーネスを接続するのに同様に環境負荷の大きな鉛を用いることも避けることができる。
【０１２４】
また、良好な調光特性を有し、かつ実装性に優れる。
【０１２５】
さらに、低温時の光束立ち上がり特性が良好で、しかも光量も多い。
【０１２６】
以上の特徴を有するため、車載計器用の液晶表示装置として最適である。
【発明の効果】
請求項１の発明によれば、内部にキセノンを含む希ガスを主成分とする放電媒体を封入し、内面側に蛍光体層を形成した透光性放電容器の長手方向に沿って離間対向した一対の外部電極の間に導光用透光部を形成し、さらに上記透光性放電容器の内面側にゲッタを配設したことにより、車載計器用として最適であるが、これに限定されない希ガス放電ランプを提供することができる。
【０１２７】
請求項２の発明によれば、請求項１の効果を有するバックライト装置を提供することができる。
【０１２８】
請求項３の発明によれば、請求項１の効果を有する液晶表示装置を提供することができる。
【図面の簡単な説明】
【図１】
本発明の希ガス放電ランプの第１の実施形態を示す断面図
【図２】
本発明の希ガス放電ランプの第２の実施形態を示す断面図
【図３】
本発明の希ガス放電ランプの第３の実施形態を示す断面図
【図４】
本発明の希ガス放電ランプの第４の実施形態を示す断面図
【図５】
本発明の希ガス放電ランプの第５の実施形態における外部電極の透光性放電容器への貼着前の状態を示す展開図
【図６】
同じく要部拡大断面図
【図７】
本発明の希ガス放電ランプの第６の実施形態を示す一部断面正面図
【図８】
本発明の希ガス放電ランプの第７の実施形態を示す断面図
【図９】
本発明のバックライト装置の一実施形態における希ガス放電ランプ点灯装置の部分を示す回路ブロック図
【図１０】
本発明の液晶表示装置の一実施形態における導光体と希ガス放電ランプとの位置関係を示す断面図
【符号の説明】
１…透光性放電容器
２…蛍光体層
３…外部電極
４…導光用透光部
５…透明質絶縁被覆
６…透明質熱収縮チューブ
７…反射膜
８…保護膜